(57)【要約】【課題】ライト用フレキシブル配線板のコストダウンを図ることができ、断線などのトラブルの発生を防止することもできる液晶モジュールを提供する。【解決手段】光源１１が実装される片面に配線１４ａを形成した第一フレキシブル配線板１４に、片面に配線１５ａを形成した第二フレキシブル配線板１５の一端部を、その配線を形成した片面同士が相対向するように圧着して配線１４ａ，１５ａを接続することにより、ライト用フレキシブル配線板１２を構成し、液晶表示パネル１に接続されたメインのフレキシブル配線板２のライト用配線２ｂに、第二フレキシブル配線板１５の他端を圧着して接続した構成の液晶モジュールとする。安価な片面配線タイプの第一及び第二のフレキシブル配線板１４，１５でライト用フレキシブル配線板１２を構成してコストダウンを図る。また、第二フレキシブル配線体１５を細長いＴ形とすることで断線トラブル等をなくす。【選択図】図４
2008226965.tif 000002
【特許請求の範囲】
【請求項１】
同一のコネクタから入力される液晶駆動用配線とライト用配線が形成されたメインのフレキシブル配線板を液晶表示パネルに取り付け、光源が実装されるライト用フレキシブル配線板をメインのフレキシブル配線板に圧着して、メインのフレキシブル配線板のライト用配線とライト用フレキシブル配線板の配線を接続した液晶モジュールにおいて、
上記光源が実装される片面に配線が形成された矩形状の第一フレキシブル配線板と、片面に配線が形成され一端部の両側に延出部が形成された細長いＴ形の第二フレキシブル配線板を用いて、配線の形成された片面同士が相対向するように、且つ、第二フレキシブル配線板が第一フレキシブル配線板に対して直角方向となるように、第二フレキシブル配線板をその一端部の両側の延出部で第一フレキシブル配線板の中間部に圧着して双方のフレキシブル配線板の配線同士を接続することにより、上記ライト用フレキシブル配線板を構成し、第二フレキシブル配線板の他端部を上記メインのフレキシブル配線板に圧着して、第二フレキシブル配線板の配線と上記メインのフレキシブル配線板のライト用配線を接続したことを特徴とする液晶モジュール。
【請求項２】
同一のコネクタから入力される液晶駆動用配線とライト用配線が形成されたメインのフレキシブル配線板を液晶表示パネルに取り付け、光源が実装されるライト用フレキシブル配線板をメインのフレキシブル配線板に圧着して、メインのフレキシブル配線板のライト用配線とライト用フレキシブル配線板の配線を接続した液晶モジュールにおいて、
上記光源が実装される片面に配線が形成された第一フレキシブル配線板と、片面に配線が形成された第二フレキシブル配線板を用いて、配線の形成された片面同士が相対向するように、第二フレキシブル配線板の一端部を第一フレキシブル配線板に圧着して双方のフレキシブル配線板の配線同士を接続することにより、上記ライト用フレキシブル配線板を構成し、第二フレキシブル配線板の他端部を上記メインのフレキシブル配線板に圧着して、第二フレキシブル配線板の配線と上記メインのフレキシブル配線板のライト用配線を接続したことを特徴とする液晶モジュール。
【請求項３】
上記第一フレキシブル配線板と上記第二フレキシブル配線板がいずれも矩形状の配線板であることを特徴とする請求項２に記載の液晶モジュール。
【請求項４】
上記第二フレキシブル配線板が上記第一フレキシブル配線板に対して直角方向となるように、上記第二フレキシブル配線板の一端部が上記第一フレキシブル配線板の中間部に圧着されていることを特徴とする請求項３に記載の液晶モジュール。
【請求項５】
上記第一フレキシブル配線板の配線と上記第二フレキシブル配線板の配線との接続箇所、及び、上記第二フレキシブル配線板の配線と上記メインのフレキシブル配線板のライト用配線との接続箇所に、圧着接続用パッド部がそれぞれ形成されていることを特徴とする請求項１ないし請求項４のいずれかに記載の液晶モジュール。
【発明の詳細な説明】
【技術分野】
【０００１】
本発明は小型の液晶モジュールに関し、特に、光源が実装されるライト用フレキシブル配線板を工夫することによってコストダウンを図った液晶モジュールに関する。
【背景技術】
【０００２】
デジタルスチルカメラやインクジェットプリンターなどに組み込まれる小型の液晶モジュールとして、例えば図９示すようなものが知られている。この液晶モジュールは、液晶表示パネル１にメインのフレキシブル配線板２を接続すると共に、ＬＥＤなどの光源３をＴ形のライト用フレキシブル配線板４に複数個実装して導光板５の側面に配設したものであって、メインのフレキシブル配線板２には、コネクタ２ａから入力される液晶駆動用配線（不図示）とライト用配線２ｂが形成されており、ライト用フレキシブル配線板４の端部４ａがメインのフレキシブル配線板２に圧着されて、ライト用フレキシブル配線板４の配線４ｂとメインのフレキシブル配線板２のライト用配線２ｂが接続された構造となっている。
一方、第一の片面フレキシブル基板と第二の片面フレキシブル基板を、異方性導電接着層で接合したフレキシブル配線基板が知られている（特許文献１）。また、片面にパターンが形成された可撓性基板を略中央付近で二つに折り曲げ、両面基板と同様の機能を付与して液晶表示装置に組み込んだもの（特許文献２）や、フレキシブル配線板の表面に２つの電気的機能部分を設け、その中間部分でフレキシブル配線板を折り曲げて部品に組み込んだもの（特許文献３）も知られている。
【特許文献１】特開２００１−７７５０１号公報
【特許文献２】特開２００１−１２５１２８号公報
【特許文献３】特開２００６−１３５１８３号公報
【発明の開示】
【発明が解決しようとする課題】
【０００３】
しかしながら、図９示す従来の液晶モジュールは、ライト用フレキシブル配線板４が、片面に形成した配線４ｂを途中のビアホール４ｃから反対面（光源実装面）に引き出して両面に配線を形成した、所謂、両面配線板であるため、ライト用フレキシブル配線板４のコストが高いという問題があり、しかも、このようなＴ形のライト用フレキシブル配線板４は、図１０示すように、一枚の両面基板４０からシート取りできる数が少なく、無駄が多いため、更にコスト高になるとい問題があった。
【０００４】
また、前記特許文献１のフレキシブル配線基板は、第一の片面フレキシブル基板の一部に第二の片面フレキシブル基板の全体を双方の基板の配線層が対向する状態で接合することによって、フォトリソグラフィーによるホールを形成した微細なコンタクト部を構成して配線パターンの微細化を達成するものであり、片面フレキシブル基板同士を部分的に接合して両面フレキシブル基板の機能を付与することを意図したものではない。従って、この特許文献１のフレキシブル配線基板の技術に基づいて、前記液晶モジュールのライト用フレキシブル配線板４のような両面フレキシブル配線板の代替品を作製することは、容易に推考できない。
【０００５】
これに対し、特許文献２，３に記載の技術は、片面フレキシブル配線板を折り曲げることによって両面フレキシブル配線板の機能を付与したものであるが、このように片面フレキシブル配線板を折り曲げると、折り曲げ部分にストレスが集中して断線の恐れがあるので、両面フレキシブル配線板の機能を付与する手段としては好ましくない。
【０００６】
本発明は上記事情の下になされたもので、その解決しようとする課題は、ライト用フレキシブル配線板のコストダウンを図ることができ、断線などのトラブルの発生を防止することもできる液晶モジュールを提供することにある。
【課題を解決するための手段】
【０００７】
上記の課題を解決するため、本発明に係る液晶モジュールは、同一のコネクタから入力される液晶駆動用配線とライト用配線が形成されたメインのフレキシブル配線板を液晶表示パネルに取り付け、光源が実装されるライト用フレキシブル配線板をメインのフレキシブル配線板に圧着して、メインのフレキシブル配線板のライト用配線とライト用フレキシブル配線板の配線を接続した液晶モジュールにおいて、上記光源が実装される片面に配線が形成された第一フレキシブル配線板と、片面に配線が形成された第二フレキシブル配線板を用いて、配線の形成された片面同士が相対向するように、第二フレキシブル配線板の一端部を第一フレキシブル配線板に圧着して双方のフレキシブル配線板の配線同士を接続することにより、上記ライト用フレキシブル配線板を構成し、第二フレキシブル配線板の他端部を上記メインのフレキシブル配線板に圧着して、第二フレキシブル配線板の配線と上記メインのフレキシブル配線板のライト用配線を接続したことを特徴とするものである。
【０００８】
本発明に係る液晶モジュールの基本的な実施形態においては、第一フレキシブル配線板と第二フレキシブル配線板がいずれも矩形状の配線板とされ、第二フレキシブル配線板が第一フレキシブル配線板に対して直角方向となるように、第二フレキシブル配線板の一端部が上記第一フレキシブル配線板の中間部に圧着される。また、第一フレキシブル配線板の配線と第二フレキシブル配線板の配線との接続箇所、及び、第二フレキシブル配線板の配線とメインのフレキシブル配線板のライト用配線との接続箇所には、圧着接続用パッド部がそれぞれ形成される。
【０００９】
そして、本発明の更に好ましい実施形態の液晶モジュールは、同一のコネクタから入力される液晶駆動用配線とライト用配線が形成されたメインのフレキシブル配線板を液晶表示パネルに取り付け、光源が実装されるライト用フレキシブル配線板をメインのフレキシブル配線板に圧着して、メインのフレキシブル配線板のライト用配線とライト用フレキシブル配線板の配線を接続した液晶モジュールにおいて、上記光源が実装される片面に配線が形成された矩形状の第一フレキシブル配線板と、片面に配線が形成され一端部の両側に延出部が形成された細長いＴ形の第二フレキシブル配線板を用いて、配線の形成された片面同士が相対向するように、且つ、第二フレキシブル配線板が第一フレキシブル配線板に対して直角方向となるように、第二フレキシブル配線板をその一端部の両側の延出部で第一フレキシブル配線板の中間部に圧着して双方のフレキシブル配線板の配線同士を接続することにより、上記ライト用フレキシブル配線板を構成し、第二フレキシブル配線板の他端部を上記メインのフレキシブル配線板に圧着して、第二フレキシブル配線板の配線と上記メインのフレキシブル配線板のライト用配線を接続したことを特徴とするものである。
【００１０】
尚、本発明において、「矩形状」とは真っ直ぐな矩形状に限定されるものではなく、その両端部や中間部が若干曲がっていたり多少凹凸があるような細長形状まで含む広い概念の用語である。
【発明の効果】
【００１１】
本発明の液晶モジュールのように、片面に配線が形成された第二フレキシブル配線板の一端部を、光源が実装される片面に配線が形成された第一フレキシブル配線板に圧着して、双方のフレキシブル配線板の配線同士を接続すると、第一フレキシブル配線板の光源が実装される片面と第二フレキシブル配線板の反対側の片面とに配線が形成された両面配線タイプのライト用フレキシブル配線板が構成され、このように片面配線タイプの２枚のフレキシブル配線板を圧着したライト用フレキシブル配線板は、従来の液晶モジュールに使用される両面配線タイプのライト用フレキシブル配線板に比べて安価なものであるから、その分だけコストダウンを図ることができる。
【００１２】
特に、第一フレキシブル配線板と第二フレキシブル配線板がいずれも矩形状の配線板であると、図６示すように、これらの矩形状フレキシブル配線板１４（１５）を、縦又は横に並べた配列パターンで、片面配線タイプの材料基板２０から多数シート取りすることができるので無駄が少なくなり、更なるコストダウンを図ることができる。そして、第二フレキシブル配線板が第一フレキシブル配線板に対して直角方向となるように、第二フレキシブル配線板の一端部を上記第一フレキシブル配線板の中間部に圧着すると、従来の液晶モジュールに使用される両面配線タイプのライト用フレキシブル配線板と同じＴ形のライト用フレキシブル配線板とすることができる。また、第一フレキシブル配線板の配線と第二フレキシブル配線板の配線との接続箇所、及び、第二フレキシブル配線板の配線とメインのフレキシブル配線板のライト用配線との接続箇所に、圧着接続用パッド部がそれぞれ形成されていると、圧着によって配線同士を確実に接続することができる。
【００１３】
そして、本発明の更に好ましい液晶モジュールのように、第二フレキシブル配線板をその一端部の両側に延出部が形成された細長いＴ形の配線板となし、第二フレキシブル配線板が矩形状の第一フレキシブル配線板に対して直角方向となるように、第二フレキシブル配線板をその一端部の両側の延出部で第一フレキシブル配線板に圧着して、双方のフレキシブル配線板の配線同士を接続すると、第二フレキシブル配線板をその片面側又は反対面側に曲げる外力が繰り返し作用しても、ストレスが第二フレキシブル配線板の一端部近傍に集中し難くなり、第二フレキシブル配線板が一端部近傍で折れ曲がって断線したり、第一フレキシブル配線板から剥がれたりする心配はなくなる。しかも、第二フレキシブル配線板は細長いＴ形の配線板であるから、矩形状のものに比べると、原料基板からのシート取りの枚数が少なくなるとはいうものの、従来の幅の広いＴ形のものよりも多くシート取りすることができるので、かなりのコストダウンを図ることができる。
【発明を実施するための最良の形態】
【００１４】
以下、図面を参照して本発明の具体的な実施形態を詳述する。
【００１５】
図１は本発明の一実施形態に係る液晶モジュールの正面図、図２は同液晶モジュールの背面図、図３は図１のＡ−Ａ線に沿った部分拡大断面図、図４は裏返した同液晶モジュールの分解斜視図、図５は同液晶モジュールに用いるライト用フレキシブル配線板の背面図、図６は同ライト用フレキシブル配線板の矩形状の第一又は第二のフレキシブル配線板のシート取りの説明図、図７は同液晶モジュールに用いる他のライト用フレキシブル配線板の背面図、図８は同ライト用フレキシブル配線板の細長いＴ形の第二フレキシブル配線板のシート取りの説明図である。
【００１６】
この液晶モジュールは、図１〜図４に示すように、合成樹脂製の方形枠状のフレーム６の内側に導光板５を収容して、フレーム６の下方から光反射シート７を導光板５の裏面とフレーム６に貼着すると共に、導光板５の上に２枚の光拡散シート８ａ，８ｂと１枚のプリズムシート９と液晶表示パネル１（液晶セル）を重ねてフレーム６の内側に収容し、上方から方形枠状のベゼル１０をフレーム６に嵌着して組立てられたものであり、フレーム６とベゼル１０は、フレーム側面に形成された係合爪６ａをベゼル側面に形成された被係合孔１０ａに係合させることによって、互いに分離しないように嵌着されている。尚、図４は裏返しにした液晶モジュールの分解斜視図であるから、上下関係が逆になっていることに注意する必要がある。
【００１７】
この液晶モジュールの液晶表示パネル１には、メインのフレキシブル配線板２が接続されており、該配線板２はフレーム６とベゼル１０の取出口６ｂ，１０ｂ（図４を参照）から外部へ取り出されている。そして、光源として複数個のＬＥＤ１１を実装したライト用フレキシブル配線板１２が導光板５の端面沿いに配置されて、反射テープ１３（図３を参照）で貼着されており、このライト用フレキシブル配線板１２はフレーム６とベゼル１０の取出口６ｃ，１０ｂからメインのフレキシブル配線板２の下側（裏側）へ取り出されている。
【００１８】
メインのフレキシブル配線板２は、図４に示すように、一端のコネクタ２ａから入力される液晶駆動用配線（不図示）と、同じく一端のコネクタ２ａから入力されてＬＥＤ１１を点灯させるライト用配線２ｂを、裏面（図３では上面）に形成して絶縁膜で被覆したものであって、ライト用配線２ｂの端部には、銅箔の露出した圧着接続用パッド部２ｃが形成されている。
【００１９】
一方、ライト用フレキシブル配線板１２は、図４，図５に示すように、ＬＥＤ１１が実装される片面に通電用の配線１４ａを形成して絶縁膜で被覆した矩形状の第一フレキシブル配線板１４と、片面に通電用の配線１５ａを形成して絶縁膜で被覆した矩形状の第二フレキシブル配線板１５を用いて、双方の配線１４ａ，１５ａを形成した片面同士が相対向するように、且つ、第二フレキシブル配線板１５が第一フレキシブル配線板１４に対して直角の方向となるように、第二フレキシブル配線板１５の一端部を第一フレキシブル配線板１４の中間部に圧着して、双方のフレキシブル配線板１４，１５の配線１４ａ，１５ａ同士を接続することにより、Ｔ形のライト用フレキシブル配線板に構成されたものである。
【００２０】
上記Ｔ形のライト用フレキシブル配線板１２は、配線１４ａと配線１５ａの接続を確実にするために、配線１４ａ，１５ａの接続される端部に圧着接続用パッド部１４ｂ，１５ｂが形成されており、同様に、メインのフレキシブル配線板２のライト用配線２ｂに接続される第二フレキシブル配線板１５の配線１５ａの他端部にも圧着接続用パッド部１５ｃが形成されている。また、第一フレキシブル配線板１４の両端側には、ＬＥＤ１１の実装を確実に行えるように、ＬＥＤ実装用パッド部１４ｃが形成されている。
【００２１】
上記のライト用フレキシブル配線板１２は、第一フレキシブル配線体１４のＬＥＤ実装用パッド部１４ｃにＬＥＤ１１が実装され、前述したように導光板５の端面沿いに配置されて、反射テープ１３で導光板５に貼着されると共に、図３に示すように、第二フレキシブル配線体１５の他端部がメインのフレキシブル配線板２の裏面に圧着されて、第二フレキシブル配線板１５の配線１５ａとメインのフレキシブル配線板２のライト用配線２ｂが接続される。
【００２２】
以上のような構成の液晶モジュールは、メインのフレキシブル配線板２のライト用配線２ｂ、ライト用フレキシブル配線板１２の配線１５ａ，１４ａを通じて給電すると、ＬＥＤ１１が発光し、その光が導光板５に入射して、直接又は光反射シート７で反射しながら導光板１の上面（前面）より放出され、光拡散シート８ａ，８ｂとプリズムシート９で均一に拡散、指向された光が液晶表示パネル１の背面から照射されるため、高輝度でムラのない鮮明な液晶表示をすることができる。
【００２３】
そして、この液晶モジュールは、ＬＥＤ１１が実装される片面に配線１４ａを形成した矩形状の安価な片面配線タイプの第一フレキシブル配線板１４の中間部に、片面に配線１５ａを形成した矩形状の安価な片面配線タイプの第二フレキシブル配線板１５の一端を圧着し、双方の配線１４ａ，１５ａを接続することによって、従来の両面配線タイプの高価なライト用フレキシブル配線板４と同様の機能を備えたＴ形のライト用フレキシブル配線板１２を安価に構成したものであり、しかも、矩形状の第一及び第二のフレキシブル配線板１４，１５は原料基板から多数シート取りすることができるものであるから、従来よりも大幅にコストダウンを図ることができ、経済的に有利である。
【００２４】
本発明の液晶モジュールにおいては、上記のライト用フレキシブル配線板１２に代えて、図７に示すようなライト用フレキシブル配線板１２０を組み込むことも好ましい。即ち、このライト用フレキシブル配線板１２０は、第二フレキシブル配線板１５を、その一端部の両側に延出部１５ｄが形成された細長いＴ形の配線板となし、配線１５ａを両側の延出部１５ｄまで延長して、その端部に圧着接続用パッド部１５ｂをそれぞれ形成している。そして、第一フレキシブル配線板１４の中間部における上記圧着接続用パッド１５ｂに対応する箇所に圧着接続用パッド部１４ｂを形成して、第二フレキシブル配線板１５を、その一端部の両側の延出部１５ｄで第一フレキシブル配線板１４の中間部に圧着し、双方のフレキシブル配線板１４，１５の配線１４ａ，１５ａを接続することによって、ライト用フレキシブル配線板１２０を構成している。
【００２５】
このライト用フレキシブル配線板１２０の他の構成は、前述したライト用フレキシブル配線板１２と同様であるので、図７において同一部分に同一符号を付すに止め、重複する説明を省略する。
【００２６】
このようなライト用フレキシブル配線板１２０は、前述したライト用フレキシブル配線板１２と同様にして液晶モジュールに組み込まれるが、このライト用フレキシブル配線板１２０のように、第二フレキシブル配線板１５がその一端部の両側の延出部１５ｄで第一フレキシブル配線板１４に圧着されていると、第二フレキシブル配線板１５を片面側又は反対面側に曲げる外力が繰り返し作用しても、ストレスが第二フレキシブル配線板１５の一端部近傍に集中し難いので、第二フレキシブル配線板１５が一端部近傍で折れ曲がって断線したり、第一フレキシブル配線板１４から剥がれたりする心配はなくなる。しかも、双方のフレキシブル配線板１４，１５は安価な片面配線タイプの配線板であり、また、第二フレキシブル配線板１５はＴ形であるといっても細長いＴ形であり、図８に示すような配列パターンで一枚の原料基板２０から多数シート取りできるものであるから、従来の両面配線タイプのライト用フレキシブル配線板４を使用した液晶モジュールに比べると、かなりのコストダウンを図ることができる。
【図面の簡単な説明】
【００２７】
【図１】本発明の一実施形態に係る液晶モジュールの正面図である。
【図２】同液晶モジュールの背面図である。
【図３】図１のＡ−Ａ線に沿った部分拡大断面図である。
【図４】裏返した同液晶モジュールの分解斜視図である。
【図５】同液晶モジュールに用いるライト用フレキシブル配線板の背面図である。
【図６】同ライト用フレキシブル配線板の矩形状の第一又は第二のフレキシブル配線板のシート取りの説明図である。
【図７】同液晶モジュールに用いる他のライト用フレキシブル配線板の背面図である。
【図８】同ライト用フレキシブル配線板の細長いＴ形の第二フレキシブル配線板のシート取りの説明図である。
【図９】裏返した従来の液晶モジュールの要部斜視図である。
【図１０】従来の液晶モジュールに用いるライト用フレキシブル配線板のシート取りの説明図である。
【符号の説明】
【００２８】
１    液晶表示パネル
２    メインのフレキシブル配線板
２ａ  コネクタ
２ｂ  ライト用配線
２ｃ  圧着接続用パッド部
３，１１  ＬＥＤ（光源）
５    導光板
６    フレーム
７    光反射シート
８ａ，８ｂ  光拡散シート
９    プリズムシート
１０  ベゼル
１２，１２０  ライト用フレキシブル配線板
１４  ライト用フレキシブル配線板の第一フレキシブル配線板
１４ａ，１５ａ  配線
１４ｂ，１５ｂ，１５ｃ，  圧着接続用パッド部
１４ｃ  ＬＥＤ実装用パッド部
１５  ライト用フレキシブル配線板の第二フレキシブル配線板
１５ｄ  延出部
【図１】
2008226965.tif 000003
【図２】
2008226965.tif 000004
【図３】
2008226965.tif 000005
【図４】
2008226965.tif 000006
【図５】
2008226965.tif 000007
【図６】
2008226965.tif 000008
【図７】
2008226965.tif 000009
【図８】
2008226965.tif 000010
【図９】
2008226965.tif 000011
【図１０】
2008226965.tif 000012